(57)【要約】【課題】光が運転者にとってより視認し易くなり、情報の伝達効率を煩雑な調整を伴わずに向上させることができる車両用光源装置を提供することを課題とする。【解決手段】本実施形態によれば、光源パネル１０の形状は、フロントウインドウガラス２０のうち虚像３１の表示部分の断面の湾曲（曲面）に合わせた、湾曲した、手前側が凹んだ形状となっている。そして、個々の光源１０ａも、光源パネル１０内に、虚像３１の表示部分の断面の湾曲（曲面）に合わせて、湾曲して配置されている。【選択図】図５
2012126251.tif 000002
【特許請求の範囲】
【請求項１】
インストルメントパネルに設置される、光源を備えた車両用光源装置であって、
前記光源を、ウインドシールドにおける光の照射位置の湾曲に合わせて配置すること、
を特徴とする車両用光源装置。
【請求項２】
インストルメントパネルに設置される、光源および光放射板を備えた車両用光源装置であって、
前記光放射板を、当該光放射板の光放射面が運転者側に傾いた状態となるように配置すること、
を特徴とする車両用光源装置。
【発明の詳細な説明】
【技術分野】
【０００１】
本発明は車両用光源装置に関する。
【背景技術】
【０００２】
特許文献１および２には、複数の点光源をインストルメントパネルとウインドシールドとの境界付近に直線状に配置してウインドシールドに直線状に虚像を映し出す車両用視認補助装置が開示されている。
【０００３】
なお、その他の先行技術文献としては、特許文献３から６が挙げられる。特許文献３には、反射板の傾斜角度が調整可能なヘッドアップディスプレイ装置が開示されている。特許文献４には、反射板が傾斜して配置されているヘッドアップディスプレイが開示されている。特許文献５および６には、ウインドシールドの枠に沿って導光管を配置した車両用表示装置が開示されている。
【先行技術文献】
【特許文献】
【０００４】
【特許文献１】特開２００８−１３１６３号公報
【特許文献２】特開２００８−１８９２０１号公報
【特許文献３】特開２００８−１９７４０３号公報
【特許文献４】特開２００２−２８７０７６号公報
【特許文献５】特開２００２−２７４２１６号公報
【特許文献６】特開２００３−５４３３４号公報
【発明の概要】
【発明が解決しようとする課題】
【０００５】
しかしながら、特許文献１および２によれば、ウインドシールドに虚像を直線状に映し出すために必要な、点光源の光放射方向の角度調整が煩雑であったり、また、外光が運転者に反射する虞があったりする。つまり、特許文献１および２によれば、情報の伝達効率およびこれを向上させるための手法について改善の余地が残されているという問題点がある。
【０００６】
本発明は、上記の事情に鑑みてなされたものであって、情報の伝達効率を、煩雑な調整を伴わずに向上させることができる車両用光源装置を提供することを目的とする。
【課題を解決するための手段】
【０００７】
本発明は、インストルメントパネルに設置される、光源を備えた車両用光源装置であって、前記光源を、ウインドシールドにおける光の照射位置の湾曲に合わせて配置すること、を特徴とする。本発明は、インストルメントパネルに設置される、光源および光放射板を備えた車両用光源装置であって、前記光放射板を、当該光放射板の光放射面が運転者側に傾いた状態となるように配置すること、を特徴とする。
【発明の効果】
【０００８】
本発明は、光源を、ウインドシールにおける光の照射位置の湾曲の状態に合わせて配置しているので、光が運転者にとってより視認し易くなり、情報の伝達効率を煩雑な調整を伴わずに向上させることができるという効果を奏する。
【図面の簡単な説明】
【０００９】
【図１】図１は、光源パネル１０の搭載位置の一例を示す図である。
【図２】図２は、光源パネル１０の搭載位置の一例を示す図である。
【図３】図３は、アイポイント３０の定義の一例を示す図である。
【図４】図４は、光源パネル１０の搭載位置の一例を示す図である。
【図５】図５は、光源パネル１０の構造の一例を示す図である。
【図６】図６は、光源パネル１０の構造の一例を示す図である。
【図７】図７は、光源パネル１０の構造の一例を示す図である。
【図８】図８は、光源パネル１０の搭載位置の一例を示す図である。
【図９】図９は、光源パネル１０の搭載位置の一例を示す図である。
【発明を実施するための形態】
【００１０】
以下に、本発明にかかる車両用光源装置の実施形態を図面に基づいて詳細に説明する。なお、この実施形態により本発明が限定されるものではない。
【００１１】
以下では、本実施形態にかかる光源パネルが、自車両周辺に在る危険対象（例えば、歩行者、自転車、自動車、および死角など）の存在位置または存在方向を光に因る虚像で運転者に告知する車両用情報伝達システムで用いられる場合を一例として説明する。
【００１２】
図１および２は、光源パネルの搭載位置の一例を示す図である。図１および２において、符号１は車両であり、符号１０は光源パネルであり、符号２０はフロントウインドウガラスであり、符号２１はボンネットであり、符号２２はインストルメントパネルであり、符号２３はメーターパネルであり、符号２４はステアリングホイールであり、符号２５はデフロスタ吹出部であり、符号３０は運転者のアイポイントであり、符号３１は光源パネル１０からの光に因る虚像であり、符号３２は外乱光の光路であり、符号３３は光源パネル１０からの光の光路である。図１に示すように、光源パネル１０は、インストルメントパネル２２に設置されるが、特に、運転者の周辺視野の最下層で運転者に虚像３１を認識させることが可能となる位置に設置される。例えば、光源パネル１０は、メーターパネル２３よりフロントウインドウガラス２０側（換言すると、アイポイント３０から見てインストルメントパネル２２の奥側）の位置に設置される。例えば、光源パネル１０は、アイポイント３０から見てデフロスタ吹出部２５の手前（図１参照）または奥側（図２参照）の位置に設置される。
【００１３】
また、図１に示すように、光源パネル１０は、外乱光３２がアイポイント３０へ入射しないような状態でインストルメントパネル２２に設置される。例えば、光源パネル１０は、光源パネル１０の光放射面（光反射面）が運転者側に傾いた状態で、しかもインストルメントパネル２２の表面より下（換言すると、インストルメントパネル２２の内部）に設置される。例えば、光源パネル１０は、インストルメントパネル２２に埋め込まれる。このように設置することにより、実像を運転者に見えないようにすることができ、また実像を他車等からも見えないようにすることができる。
【００１４】
ここで、アイポイント３０は、図３に示すように、ＩＳＯ６５４９−１９８０に基づいて人体模型を座席に着座させたときの当該人体模型の股関節点であるシーティングレファレンスポイント３４の垂直上方６３５（ｍｍ）の高さの点である（ホームページアドレス“ｈｔｔｐ：／／ｗｗｗ．ｍｌｉｔ．ｇｏ．ｊｐ／ｊｉｄｏｓｈａ／ｋｉｊｙｕｎ／ｓａｉｍｏｋｕｂｅｔｔｅｎ／ｓａｉｂｅｔ＿０８１＿００．ｐｄｆ”で開示されている“道路運送車両の保安基準の細目を定める告示〔２００５．１１．０９〕別添８１（直前直差確認鏡の技術基準）”を参照）。
【００１５】
図４は、光源パネルの搭載位置の別の一例を示す図である。図４において、符号３５は運転者の注視方向である。例えば、光源パネル１０は、インストルメントパネル２２における、運転者の略正面の位置に設置される。光源パネル１０は、運転者（アイポイント３０）から見て虚像３１が水平となるように光源１０ａの配置を湾曲させた構造を有する。ここで、光源パネル１０の構造の一例について図５、６、および７を参照して説明する。
【００１６】
図５に示すように、光源パネル１０には、複数の光源１０ａ（例えばＬＥＤまたはバルブ等）がアレイ状（複数行・複数列）に配置されている。また、図７に示すように、光源パネル１０には、光源１０ａの光を外部へ放射するための光放射板１０ｂが、光源１０ａと一定の距離を設けて配置されている。
【００１７】
また、図５に示すように、光源パネル１０の形状は、フロントウインドウガラス２０のうち虚像３１の表示部分の断面の湾曲（曲面）に合わせた、湾曲した、手前側が凹んだ形状となっている。そして、個々の光源１０ａも、光源パネル１０内に、虚像３１の表示部分の断面の湾曲（曲面）に合わせて、湾曲して配置されている。光源パネル１０の形状は、設置されたときに距離ｄＬが長く、距離ｄＲが短くなるように（図５参照）、運転者（アイポイント３０）から見て光源パネル１０の左側Ｌの長さ（幅）が最も短く（狭く）、右側に向って徐々に長く（広く）なり、右側Ｒの長さが最も長い（広い）形状となっている（図６参照）。このような光源パネル１０の形状および光源１０ａの配置を採ることで、フロントウインドウガラス２０に虚像３１を運転者から見て水平に映し出すことができる。ここで、距離ｄＬは、設置された状態の光源パネル１０を運転者（アイポイント３０）から見たときに左側・手前側に在る光源１０ａから、フロントウインドウガラス２０における当該光源１０ａからの光の照射位置までの距離である。また、距離ｄＲは、設置された状態の光源パネル１０を運転者（アイポイント３０）から見たときに右側・手前側に在る光源１０ａから、フロントウインドウガラス２０における当該光源１０ａからの光の照射位置までの距離である。
【００１８】
図８および９は、光源パネルの搭載位置の別の一例を示す図である。図８において符号３６はアイポイント３０を通過する水平ラインである、図９において、符号２６はバックミラーであり、符号２７はＡピラーである。光源パネル１０は、インストルメントパネル２２における、水平ライン３６からの俯角αが５度以下で運転者に虚像３１を認識させることが可能となる位置に設置される。光源パネル１０は、アイポイント３０から見て虚像３１の全部または一部の背景が自車両１のボンネット２１となるようにインストルメントパネル２２に設置される。光源パネル１０は、虚像３１がフロントウインドウガラス２０のうち水平ライン３６以下の領域に表示されるようにインストルメントパネル２２に設置される。
【００１９】
以上、詳細に説明したように、本実施形態によれば、光源１０ａを、フロントウインドウガラス２０における光の照射位置の湾曲に合わせてインストルメントパネル２２に配置する。これにより、光の放射方向の角度調整などの煩雑な調整を行わずに、虚像３１をフロントウインドウガラス２０に直線状に映し出すことができる。また、光源パネル１０は、光放射板１０ｂの光放射面が運転者側に傾いた状態となるようにインストルメントパネル２２の内部に設置する。これにより、外光を運転者側に反射させなくすることができる。つまり、これらにより、光源１０ａからの光が運転者にとってより視認し易くなり、情報の伝達効率を煩雑な調整を伴わずに向上させることができる。
【００２０】
また、本実施形態によれば、光源１０ａの光を、フロントウインドウガラス２０のうち、アイポイント３０から見て虚像３１の背景が自車両１のボンネット２１となる領域（ボンネット領域）に照射する。これにより、車外背景の変化の影響を受けなくなるので、光源１０ａからの光が運転者にとってより視認し易くなる。また、光源１０ａの光を、当該ボンネット領域外の領域であり且つアイポイント３０を通過する水平面（水平ライン３６）をフロントウインドウガラス２０と交わらせたときにできる線分の下側の領域に照射する。これにより、運転者の注視方向と重ならない位置に虚像３１を映し出すことができる。つまり、これらにより、光の視認性を向上させることができる。
【産業上の利用可能性】
【００２１】
以上のように、本発明にかかる車両用光源装置は、自動車製造産業において有用であり、特に、フロントウインドウガラスを利用して運転者に光で情報伝達を行う際の利用に適している。
【符号の説明】
【００２２】
１０  光源パネル
１０ａ  光源
１０ｂ  光放射板
２０  フロントウインドウガラス
２１  ボンネット
２２  インストルメントパネル
３１  虚像
【図１】
2012126251.tif 000003
【図２】
2012126251.tif 000004
【図３】
2012126251.tif 000005
【図４】
2012126251.tif 000006
【図５】
2012126251.tif 000007
【図６】
2012126251.tif 000008
【図７】
2012126251.tif 000009
【図８】
2012126251.tif 000010
【図９】
2012126251.tif 000011